(57)【特許請求の範囲】
【請求項１】
取出口と、
前記取出口と連通する加熱流路部と、
前記加熱流路部を流動する水を加熱するための加熱装置と、
前記加熱装置を制御するコントローラと、を含み、
前記加熱装置は、コイルが多数層積層されるコイル部を含み、
前記加熱流路部は、水が流入するための流入部と、加熱された水が排出されるための排出部と、前記流入部及び前記排出部を連結する加熱流路とを含み、
前記加熱流路には、前記流入部及び前記排出部の間で水が均一に流動された水の流動をガイドするための流路ガイドが配置され、
前記流路ガイドは、水が通過するための多数のホールを含み、
前記多数のホールは、前記加熱流路における水の流動方向と交差する方向に配列され、
前記加熱装置は、前記コイル部が安着するフレームを含み、
前記フレームは、前記加熱流路部と結合され、
前記加熱流路部の温度を感知するためのセンサーをさらに含み、
前記センサーは、前記コイル部が形成する領域内に位置し、
前記フレームには、前記コイル部の入力端と出力端との１つ以上が通過するための開口を含み、
前記センサーは、前記開口に位置する、家電製品。
【請求項２】
前記フレームには、前記加熱流路部と前記コイル部とが一定距離離隔するようにするためのスペーサーが備えられる、請求項１に記載の家電製品。
【請求項３】
前記加熱流路部は、流入部及び排出部を備える第１ガイドと、前記第１ガイドと結合され、前記第１ガイドと一緒に水が流動するための加熱流路を形成する第２ガイドと、を含み、
前記第２ガイドは、磁性体である、請求項１に記載の家電製品。
【請求項４】
前記多数のホールは、前記流路ガイドの端部側の近くに位置する第１ホールと、前記流路ガイドの中央側の近くに位置し、前記第１ホールとサイズが異なる第２ホールと、を含む、請求項１に記載の家電製品。
【請求項５】
前記第２ホールは、前記第１ホールより、前記排出部の近くに位置する、請求項４に記載の家電製品。
【請求項６】
前記流路ガイドは、前記流入部より、前記排出部の近くに配置される、請求項１に記載の家電製品。
【請求項７】
前記流路ガイドは、前記加熱流路部に成形によって形成される、請求項１に記載の家電製品。
【請求項８】
前記取出口から取出される水の温度を入力するための入力部を更に含み、
前記コントローラは、前記入力部を介して入力された温度に応じて、前記コイル部に引加される電流を調節する、請求項１に記載の家電製品。
【請求項９】
前記加熱流路部から排出された温水の温度を感知する出水温度センサーをさらに含み、
前記コントローラは、前記入力部を介して入力された温度と前記出水温度センサーで感知された温度とが同一となるように、前記コイル部に印加される電流を調節する、請求項８に記載の家電製品。
【請求項１０】
電流が供給されて作動する駆動源をさらに含み、
前記コントローラは、前記加熱装置に供給される電流に応じて前記駆動源の電流を制御する、請求項８に記載の家電製品。
【請求項１１】
前記加熱流路部に供給される水の温度を感知するための入水温度センサーと、
前記加熱流路部に供給される水の流量を感知するための流量センサーと、
前記加熱流路部から排出された温水の温度を感知する出水温度センサーと、をさらに含み、
前記加熱装置の作動初期、前記コントローラは、前記入水温度センサーと前記流量センサーとで感知された情報に基づいて、前記コイル部に供給される電流値を決定し、決定された電流値を前記コイル部に印加し、
前記加熱装置の作動中に、前記出水温度センサーで感知された温度に基づいて、前記コイル部に供給される電流を調節する、請求項８に記載の家電製品。
【請求項１２】
前記加熱流路部に供給される水の温度を感知するための入水温度センサーと、
前記加熱流路部に供給される水の流量を調節するためのバルブと、を含み、
前記加熱装置の作動初期、前記コントローラは、前記入水温度センサーで感知された水の温度に基づいて、前記加熱流路部に供給される水の流量を決定し、決定された流量の水が前記加熱流路部に供給されるように前記バルブを制御する、請求項８に記載の家電製品。
【請求項１３】
前記加熱流路部から排出された温水の温度を感知する出水温度センサーをさらに含み、
前記コントローラは、前記加熱装置の作動初期、前記コイル部に予め設定された大きさの電流を供給し、前記加熱装置の作動中に、前記出水温度センサーで感知された温度に応じて、前記コイル部に印加される電流を調節する、請求項８に記載の家電製品。
【請求項１４】
前記コントローラは、前記加熱装置の一側に配置され、
前記加熱装置と前記コントローラとの間には、前記コイル部の磁場の影響が前記コントローラに及ぶことを遮断するための遮断プレートが配置される、請求項８に記載の家電製品。
【発明の詳細な説明】
【技術分野】
【０００１】
本発明は、家電製品に関するものである。
【背景技術】
【０００２】
家電製品の１つである浄水器は、流入した水を濾過してユーザに供給する装置である。
【０００３】
先行文献である大韓民国公開実用新案公報第２０１１-００００８８号(公開日：２０１１年１月２７日)には、浄水器が開示されている。
【０００４】
前記浄水器は、空間部と、前記空間部に位置する貯蔵容器と、前記貯蔵容器に入っている水を加熱できる加熱源を含む。
【０００５】
ところで、先行文献に開示された浄水器によれば、前記加熱源は、貯蔵容器に入っている水を加熱できるので、ユーザが貯蔵容器に水を入れて空間部に位置させない限り、連結管を介して温水を取出すことができないので、ユーザにとって不便である問題がある。
【発明の概要】
【発明が解決しようとする課題】
【０００６】
本発明の目的は、取出される温水の温度を調節することができ、温水を生成するための瞬間温水装置がコンパクトになる家電製品を提供することにある。
【０００７】
また、本発明の目的は、加熱流路内で水の局部過熱による蒸気発生が防止される家電製品を提供することにある。
【課題を解決するための手段】
【０００８】
一側面による家電製品は、取出口と、前記取出口と連通する加熱流路部と、前記加熱流路部を流動する水を加熱するための加熱装置と、前記加熱装置を制御するコントローラとを含み、前記加熱装置はコイルが多数層積層されるコイル部を含む。
【０００９】
また、前記加熱装置は、前記コイル部が安着するフレームを含み、前記フレームは前記加熱流路部と結合される。
【００１０】
また、前記フレームには、前記加熱流路部と前記コイル部が一定距離離隔するようにするためのスペーサーが備えられる。
【００１１】
また、前記加熱流路部の温度を感知するためのセンサーをさらに含み、前記センサーは前記コイル部が形成する領域内に位置する。
【００１２】
また、前記フレームには、前記コイル部の入力端と出力端の１つ以上が通過するための開口を含み、前記センサーは前記開口に位置する。
【００１３】
また、前記加熱流路部は、流入部と排出部を備える第１ガイドと、前記第１ガイドと結合され、前記第１ガイドと一緒に水が流動するための加熱流路を形成する第２ガイドとを含み、前記第２ガイドは磁性体である。
【００１４】
また、前記加熱流路には、水が加熱流路において、流路の断面全体で均一に流動するようにするための流路ガイドが備えられる。
【００１５】
また、前記加熱流路部から排出された温水の温度を感知するセンサーと、前記取出口から取出される水の温度を入力するための入力部とをさらに含み、前記コントローラは、前記入力部を介して入力された温度と前記センサーで感知された温度が同一となるように、前記コイル部に印加される電流を調節するインバータを含む。
【００１６】
他の側面による家電製品は、取出口と、前記取出口と連通する加熱流路部と、前記加熱流路部を流動する水を加熱するための加熱装置と、前記加熱装置を制御するコントローラとを含み、前記加熱流路部は、水が流入するための流入部と、加熱された水が排出されるための排出部と、前記流入部と前記排出部を連結する加熱流路とを含み、前記加熱流路には、前記流入部と前記排出部との間で水が均一に流動するように水の流動をガイドするための流路ガイドが配置される。
【００１７】
また、前記流路ガイドは水が通過するための多数のホールを含み、前記多数のホールは前記加熱流路における水の流動方向と交差する方向に配列される。
【００１８】
また、前記多数のホールは、前記流路ガイドの端部側の近くに位置する第１ホールと、前記流路ガイドの中央側の近くに位置し、前記第１ホールとサイズが異なる第２ホールとを含むことができる。
【００１９】
また、前記第２ホールは、前記第１ホールより、前記排出部の近くに位置する。
【００２０】
また、前記流路ガイドは、前記流入部より、前記排出部の近くに配置される。
【００２１】
また、前記流路ガイドは、前記加熱流路部に成形工程によって形成される。
【００２２】
また、前記加熱流路部は、第１ガイドと、前記第２ガイドと一緒に前記加熱流路を形成する第２ガイドとを含み、前記流路ガイドは、前記第１ガイドから前記第２ガイドに向かって延長され、前記第２ガイドと離隔する。
【００２３】
また、前記流路ガイドは、前記流入部を介して流入した水の流動方向を変化させるために、前記加熱流路内で前記流入部と前記排出部を連結する線上に配置される。
【００２４】
また、前記加熱装置は、リング状を有するコイル部を含み、前記加熱流路部は、前記コイル部と対向する第１部分と、前記コイル部と対向しない第２部分とを含み、前記流路ガイドは、前記流入部を介して流入した水が前記第１部分側に流動するように、水の流動をガイドすることができる。
【００２５】
また、前記流路ガイドは、前記第２部分と前記流入部との間に配置される。
【００２６】
また、多数の流路ガイドが、前記流入部と前記排出部との間で水の流動方向と平行する方向に離隔配置される。
【００２７】
また、前記多数の流路ガイドは、第１流路ガイドと、前記第１流路ガイドと前記排出部との間の領域に配置される第２流路ガイドとを含むことができる。
【００２８】
また、多数の流路ガイドが、前記流入部と前記排出部との間で水の流動方向と交差する方向に配列される。
【００２９】
また、隣接する両流路ガイドの間の間隔は、前記加熱流路部の側壁と隣接する一流路ガイドと側壁間の間隔より大きい。
【００３０】
また、前記加熱流路部は、前記流入部側から離れるほど前記加熱流路の断面積が減少するようにするための一対のコーナー部を含み、前記一対のコーナー部のそれぞれは、ラウンド状または傾斜状を有することができ、前記一対のコーナー部の間に前記排出部が配置される。
【００３１】
また他の側面による家電製品は、取出口と、前記取出口と連通する加熱流路部と、前記加熱流路部を流動する水を加熱するためのコイル部を有する加熱装置と、前記取出口から取出される水の温度を入力するための入力部と、前記入力部を介して入力された温度に応じて、前記コイル部に印加される電流を調節するコントローラとを含む。
【００３２】
また、前記加熱流路部から排出された温水の温度を感知する出水温度センサーをさらに含み、前記コントローラは、前記入力部を介して入力された温度と前記出水温度センサーで感知された温度が同一となるように、前記コイル部に印加される電流を調節する。
【００３３】
また、電流が供給されて作動する駆動源をさらに含み、前記コントローラは、前記加熱装置に供給される電流に応じて前記駆動源の電流を制御する。
【００３４】
また、前記加熱流路部に供給される水の温度を感知するための入水温度センサーと、前記加熱流路部に供給される水の流量を感知するための流量センサーと、前記加熱流路部から排出された温水の温度を感知する出水温度センサーとをさらに含み、前記加熱装置の作動初期、前記コントローラは、前記入水温度センサーと前記流量センサーで感知された情報に基づいて、前記コイル部に供給される電流値を決定し、決定された電流値を前記コイル部に印加し、前記加熱装置の作動中に、前記出水温度センサーで感知された温度に基づいて、前記コイル部に供給される電流を調節する。
【００３５】
また、前記加熱流路部に供給される水の温度を感知するための入水温度センサーと、前記加熱流路部に供給される水の流量を調節するためのバルブとを含み、前記加熱装置の作動初期、前記コントローラは、前記入水温度センサーで感知された水の温度に基づいて、前記加熱流路部に供給される水の流量を決定し、決定された流量の水が前記加熱流路部に供給されるように前記バルブを制御する。
【００３６】
また、前記加熱流路部から排出された温水の温度を感知する出水温度センサーをさらに含み、前記コントローラは、前記加熱装置の作動初期、前記コイル部に予め設定された大きさの電流を供給し、前記出水温度センサーで感知された温度に応じて、前記コイル部に印加される電流を調節する。
【００３７】
また、前記コントローラは、前記加熱装置の一側に配置され、前記加熱装置と前記コントローラの間には、前記コイル部の磁場の影響が前記コントローラに及ぼすことを遮断するための遮断プレートが配置される。
【発明の効果】
【００３８】
提案される実施例によれば、コイルが多数層積層されてコイル部を形成するので、加熱装置がコンパクトになる長所がある。
【００３９】
また、加熱装置が加熱流路部を流動する水を加熱するので、温水を貯蔵するための待機電力が不必要な長所がある。
【００４０】
また、加熱流路部が誘導加熱によって、加熱流路を流動する水を加熱するので、熱源の損失がないので前記加熱流路上の水が速かに加熱される。
【００４１】
また、前記加熱流路部の磁性体の表面が発熱するので、前記加熱流路部の周辺の温度上昇がないので、前記加熱流路部の断熱が不必要な長所がある。
【００４２】
また、加熱流路に流路ガイドが備えられることで、加熱流路の断面全体的に水が流動することができ、水が速かに加熱される長所がある。
【００４３】
また、加熱流路内で水が均一に流動できるので、加熱流路内の所定箇所で局部過熱による蒸気が発生することが防止される。
【００４４】
また、ユーザが温水の温度を設定し、設定された温度の温水を獲得することができるので、ユーザの嗜好を多様に充足できる長所がある。
【００４５】
また、家電製品の全体電流値が制限電流値を超えないように、コントローラが加熱装置および駆動源の電流を調節するので、家電製品の異常作動および電源遮断現象が防止される。
【図面の簡単な説明】
【００４６】
【図１】第１実施例に係る浄水器の概略図である。
【図２】第１実施例に係る瞬間温水装置とコントローラの斜視図である。
【図３】図２の瞬間温水装置の背面図である。
【図４】図２の瞬間温水装置の分解斜視図である。
【図５】第１実施例に係る流路ガイドを示す図である。
【図６】第１実施例に係る浄水器のブロック図である。
【図７】第１実施例に係る時間に応じた浄水器の電流変化を示す図である。
【図８】第２実施例に係る浄水器のブロック図である。
【図９】第３実施例に係る瞬間温水装置を示す図である。
【図１０】第３実施例に係る加熱流路部の正面図である。
【図１１】図１０のＡ-Ａ線断面図である。
【図１２】第４実施例に係る加熱流路部の正面図である。
【図１３】第５実施例に係る加熱流路部の正面図である。
【図１４】第６実施例に係る加熱流路部の正面図である。
【発明を実施するための形態】
【００４７】
以下、本発明の実施例を例示的な図面を参照して詳細に説明する。各図面の構成要素への参照符号の付加において、同じ構成要素に対しては、例え異なる図面上に表示されても、できるだけ同じ符号を有するようにしていることに留意しなければならない。また、本発明の実施例の説明において、かかわる公知構成または機能に対する具体的な説明が、本発明の実施例に対する理解を妨害すると判断される場合には、その詳細な説明は省略する。
【００４８】
また、本発明の実施例の構成要素の説明において、第１、第２、Ａ、Ｂ、（ａ）、（ｂ）等の用語を用いることができる。このような用語は、その構成要素を他の構成要素と区別するためのものであり、その用語によって当該構成要素の本質や手順または順序などが限定されるものではない。ある構成要素が他の構成要素に「連結」、「結合」または「接続」されると記載された場合、その構成要素はその他の構成要素に直接的に連結または接続されものを含み、各構成要素の間にさらなる他の構成要素が「連結」、「結合」または「接続」されるものも含むことを意味する。
【００４９】
図１は第１実施例に係る家電製品の一例である浄水器の概略図、図２は第１実施例に係る瞬間温水装置とコントローラの斜視図、図３は図２の瞬間温水装置の背面図、図４は図２の瞬間温水装置の分解斜視図、図５は第１実施例に係る流路ガイドを示す図である。
【００５０】
図１〜図５に示すように、第１実施例に係る浄水器１は、外形を形成するハウジング１０を含むことができる。
【００５１】
前記ハウジング１０は、多数のパネルを含むことができ、前記多数のパネルの結合によって前記ハウジング１０が製造される。一例として、ハウジング１０は、前面パネル、２つの側面パネル、上面パネル、背面パネルおよび下面パネルを含むことができるが、本発明で多数のパネルの個数は制限されるものではない。
【００５２】
そして、前記ハウジング１０の前面パネルには、操作コマンドを入力するための入力部１５が備えられる。
【００５３】
前記入力部１５は、浄水を取出すために選択する浄水選択部と、温水を取出すために選択する温水選択部と、取出される温水の温度を選択するための温度選択部を含むことができる。
【００５４】
前記浄水器１は、浄水または温水を取出すために操作する操作レバー１６をさらに含むことができる。
【００５５】
前記浄水器１は、外部から供給された水を浄化するためのフィルター部２０と、前記フィルター部２０を通過した水が流動する浄水流路３１をさらに含むことができる。前記フィルター部２０は、１つ以上のフィルターを含むことができる。
【００５６】
前記浄水流路３１は、第１流路３２と第２流路３３に分岐される。
【００５７】
前記第２流路３３は、水が前記浄水器１の外部に取出されるようにするための取出口３５と連結される。前記第１流路３２には加熱のための水が流動することができる。
【００５８】
前記浄水器１は、前記第１流路３２から供給された水が流動する過程で水を加熱して温水に変化させる瞬間温水装置５０と、前記瞬間温水装置５０を制御するコントローラ８０をさらに含むことができる。
【００５９】
前記瞬間温水装置５０は、加熱される水が流動するための加熱流路６６を形成する加熱流路部６０と、前記加熱流路６６を流動する水を加熱するための加熱装置７０を含むことができる。
【００６０】
前記加熱装置７０は、フレーム７１０と、前記フレーム７１０に安着するコイル部７３０を含むことができる。
【００６１】
前記コントローラ８０は、前記瞬間温水装置５０と隣接するように配置され、前記コントローラ８０と前記瞬間温水装置５０の間には、前記コイル部７３０の磁場の影響が前記コントローラ８０に及ぶことを防止するための遮断プレート９０が備えられる。
【００６２】
前記フレーム７１０は、フェライト７２０が安着するフェライト安着部７１２を含むことができる。前記フェライト安着部７１２は、前記フレーム７１０の一部が陥没して形成される。または、前記フェライト安着部７１２は、前記フレーム７１０に形成された多数のリーブによって形成される。前記フェライト安着部７１２には、ホール７１３が形成される。
【００６３】
前記フレーム７１０の中央部には、開口７１１が形成される。そして、多数のフェライト安着部７１２が、前記開口７１１の周りに沿って配置される。
【００６４】
前記開口７１１には、前記加熱流路部６０の温度を感知するための過熱感知センサー７４０が位置する。すなわち、前記過熱感知センサー７４０は、コイルが形成する領域内に位置する。前記過熱感知センサー７４０は、前記加熱流路部６０と接触または前記加熱流路部６０と離隔する。
【００６５】
前記コントローラ８０は、前記加熱流路部６０に水が存在しない状態で、前記加熱流路部６０が加熱されることを防止するために、前記過熱感知センサー７４０で感知された温度が基準温度を超える場合、前記加熱装置７０の作動を停止させることができる。すなわち、前記コントローラ８０は、前記コイル部７３０に印加される電流を遮断することができる。
【００６６】
前記フレーム７１０には、前記フェライト７２０に置かれた前記コイル部７３０の位置が可変することを防止するために、前記コイル部７３０の周りに接触する多数の接触リーブ７１４が備えられる。
【００６７】
前記コイル部７３０は、コイルが多数回巻かれて配置され、多数層積層される。もし、前記コイル部７３０を構成するコイルを１層に配置する場合、コイル部７３０が置かれるためのフレーム７１０の大きさが大きくなり、加熱装置の全体の大きさが大きくなることになる。しかし、本発明によれば、コイルが多数層積層されることで、コイル部７３０が占める面積が減少し、前記加熱装置７０がコンパクトになる長所がある。
【００６８】
この時、前記多数の接触リーブ７１４の高さは、前記コイル部７３０の積層高さと同一であってもよく、高くてもよい。
【００６９】
前記フレーム７１０は、前記加熱流路部６０と結合されるための１つ以上の結合リーブ７１５をさらに含むことができる。前記１つ以上の結合リーブ７１５は、前記加熱流路部６０に引っ掛るための引掛り部７１６を含むことができる。または、前記結合リーブ７１５は、前記加熱流路部６０に取付部材によって取付けられてもよい。
【００７０】
前記コイル部７３０は、全体的な形状が円形リング状または楕円形リング状を有することができる。もちろん、前記コイル部７３０を多角リング状に形成することも可能である。
【００７１】
前記コイル部７３０は、入力端７３１と出力端７３２を含むことができる。前記入力端７３１と出力端７３２の１つ以上は、前記開口７１１を通過することができる。図３には、一例として、前記出力端７３２が前記開口７１１を通過する例が開示されている。
【００７２】
前記加熱流路部６０は、加熱される水が流入するための流入部６３と加熱された水(温水)が排出される排出部６４を有する第１ガイド６１と、前記第１ガイド６１と一緒に前記加熱流路６６を形成する第２ガイド６２を含むことができる。
【００７３】
前記第２ガイド６２は、誘導加熱ができるように磁性体からなることができる。前記第１ガイド６１は、誘導加熱されない非磁性体からなることができる。もちろん、前記第１ガイド６１と前記第２ガイド６２が両方とも磁性体であってもよい。
【００７４】
前記コイル部７３０に電流が印加されると、前記コイル部７３０で磁場が発生し、磁場によって前記第２ガイド６２に電流が発生し前記第２ガイド６２が加熱される。
【００７５】
前記コイル部７３０は、前記加熱流路部６２と一定間隔離隔する。前記コイル部７３０が前記加熱流路部６２と一定間隔離隔するために、前記フレームにはスペーサー７１７が備えられる。前記スペーサー７１７は、前記加熱装置が前記加熱流路部６０に結合された状態で、前記第２ガイド６２に接触することができる。
【００７６】
前記加熱流路部６０は、前記浄水器１内で前記排出部６４が前記流入部６３より高く位置するように配置される。
【００７７】
従って、前記加熱流路６６に流入した水が前記流入部６３側から前記排出部６４側に上昇しなければならないので、前記加熱流路６６を流動する水が十分に加熱されることになる。
【００７８】
本実施例によれば、前記第２ガイド６２が形成する加熱流路６６を流動する水が、前記第２ガイド６２によって加熱される。この時、前記第２ガイド６２全体が加熱され、熱源の損失がないので、前記加熱流路６６上の水が速かに加熱される。
【００７９】
また、前記第２ガイド６２の表面が発熱するので、前記加熱流路部６０の周辺の温度上昇がないので、前記加熱流路部６０の断熱が不必要な長所がある。
【００８０】
また、前記加熱流路６６を流動する水を瞬間的に加熱するので、温水を貯蔵し、温水を一定温度に維持させるための待機電力が不必要な長所がある。
【００８１】
そして、前記排出部６４は、第３流路３４によって前記第２流路３３に連結される。
【００８２】
前記加熱流路６６には、前記加熱流路６６内で水が全体的に均一に流動できるようにするための流路ガイド６５が備えられる。
【００８３】
前記流路ガイド６５は、前記加熱流路６６内で水の流動方向と交差する方向に配置される。そして、前記流路ガイド６５は、前記流入部６３より前記排出部６４の近くに位置する。ただし、本実施例で、前記流路ガイド６５の位置がこれに制限されるものではない。
【００８４】
前記流路ガイド６５は、水が通過するための多数のホール６５２、６５３、６５４を含むことができる。前記多数のホール６５２、６５３、６５４は、前記加熱流路６６内で水の流動方向と交差する方向に配列される。そして、前記多数のホール６５２、６５３、６５４の大きさは、相互に異なってもよい。
【００８５】
前記多数のホール６５２、６５３、６５４は、第１の大きさを有する第１ホール６５２と、前記第１の大きさより小さい第２の大きさを有する第２ホール６５３と、前記第１ホール６５２と第２ホール６５３の間に位置する１つ以上の第３ホール６５４を含むことができる。前記１つ以上の第３ホール６５４は、前記第１ホール６５２および第２ホール６５３のいずれか１つの大きさと同一であってもよく、前記第１ホール６５２および第２ホール６５３の大きさと異なってもよい。本実施例で、前記流路ガイドにおいて、１つ以上の第３ホールは省略することができる。
【００８６】
前記第１ホール６５２は前記流路ガイド６５の端部の近くに位置し、前記第２ホール６５３は前記流路ガイド６５の中央部の近くに位置する。そして、前記第２ホール６５３は、前記第１ホール６５２より前記排出部６４の近くに位置する。
【００８７】
従って、前記加熱流路６６内で、大きさが小さい第２ホール６５３の流動抵抗が前記第１ホール６５２の流動抵抗より大きいので、前記第２ホール６５３側に水が集中することが防止され、全体的に前記加熱流路６６で水が均一に流動することができる。
【００８８】
前記加熱流路６６内で水が均一に流動すると、水と前記第２ガイド６２の接触時間が増加するので、水の加熱時間が短縮される。
【００８９】
他の例として、前記第１ガイド６１と前記第２ガイド６２の１つ以上に、流路ガイドが成形工程によって形成される。この場合、前記流路ガイドは、前記排出部６４と隣接した位置で、水の流動方向と交差する方向に延長される。
【００９０】
前記第１流路３２には、水の流動を調節するための第１バルブ４１が備えられる。前記第２流路３３で、前記第３流路３４が連結される地点と前記第１流路３２と接する地点との間には、水の流動を調節するための第２バルブ４２が備えられる。
【００９１】
前記浄水器１は、前記第１流路３２に備えられ、前記加熱流路部６０に流入する水の温度を感知する入水温度センサー９１と、前記第３流路３４に備えられ、前記加熱流路部６０から排出された水(温水)の温度を感知する出水温度センサー９２をさらに含むことができる。他の例として、前記入水温度センサー９１が前記加熱流路部６０の流入部６３に配置され、出水温度センサー９２が前記加熱流路部６０の排出部６４に配置されてもよい。
【００９２】
図６は、第１実施例に係る浄水器のブロック図である。
【００９３】
図６に示すように、前記浄水器１は、前記加熱流路部６０に流動する水の流量を感知する流量センサー８３と、前記コントローラ８０によって制御される駆動源９５をさらに含むことができる。
【００９４】
前記駆動源９５は、制限的ではないが、圧縮機、表示部などを含むことができ、前記浄水器１で前記瞬間温水装置を除いた電流が供給されて作動するすべての構成を含むことができる。
【００９５】
前記コントローラ８０は、前記コイル部７３０に印加される電流を調節するインバータ８１を含むことができる。
【００９６】
前記インバータ８１は、前記コイル部７３０に印加される電流を可変させることで、誘導加熱量を調節することができる。このように、誘導加熱量が調節される場合、ユーザの所望温度に水が加熱され、ユーザの所望温度の温水を前記取出口３５から取出すことができる。
【００９７】
図７は、第１実施例に係る時間に応じた浄水器の電流変化を示す図である。
【００９８】
図７に示すように、前記コントローラ８０は、前記浄水器１全体の電流を調節することができる。
【００９９】
具体的に、前記コントローラ８０は、前記加熱装置７０の作動の有無に応じて前記駆動源９５の電流を調節することができる。前記コントローラ８０は、前記浄水器１の全体電流値Ａ２が制限電流値Ａ１を超えないように制御することができる。
【０１００】
前記駆動源９５が作動する過程で前記加熱装置７０が作動すると、前記浄水器１の電流が制限電流値Ａ１を超える場合が発生する可能性があり、この場合、前記浄水器１が異常動作したり前記浄水器１の電源が遮断される可能性がある。
【０１０１】
従って、本発明では、前記加熱装置７０が作動する場合、前記コントローラ８０が前記加熱装置７０の電流に基づいて前記駆動源９５の電流を調節することで、前記浄水器１の全体電流値Ａ２が制限電流値Ａ１より低くなる。
【０１０２】
一例として、前記加熱装置７０の電流は可変的であり、前記加熱装置７０の電流が増加する場合、前記コントローラ８０は、前記駆動源９５の電流を低くし、前記加熱装置７０の電流が減少する場合、前記駆動源９５の電流を増加させることができる。
【０１０３】
以下、図１〜図６を参照して、前記浄水器から浄水と温水が取出される過程に対して説明する。
【０１０４】
まず、浄水取出し過程に対して説明する。
【０１０５】
浄水取出しコマンドが入力されると(一例として、前記浄水選択部が選択され、前記操作レバー１６が操作されると)、前記第１バルブ４１はオフとなり、前記第２バルブ４２はオンとなる。そうすると、前記フィルター部２０によって浄化された浄水は、浄水流路３１と前記第２流路３３を流動した後に前記取出口３５を介して排出される。
【０１０６】
次に、温水取出し過程に対して説明する。
【０１０７】
温水取出しコマンドが入力されると(一例として、前記温水選択部が選択され、前記操作レバー１６が操作されると)、前記第２バルブ４２はオフとなり、前記第１バルブ４１はオンとなり、前記加熱装置７０が作動する。
【０１０８】
前記コントローラ８０は、前記加熱装置７０の作動初期に、前記流量センサー８３で感知される流量と前記入水温度センサー９１で感知された温度に基づいて、前記コイル部７３０に印加される電流を決定し、決定された電流を前記コイル部７３０に供給する。
【０１０９】
この時、前記加熱流路６６に水が存在する場合には、前記第１バルブ４１は、温水取出しコマンドが入力された以後、加熱装置７０が作動する途中オンとなる。反面、加熱流路６６に水が存在しない場合には、前記第１バルブ４１がオンとなり、加熱流路６６に水が満たされるとオフとなる。そして、前記第１バルブ４１による流量調節によって、水の加熱および加熱された水(温水)の排出が調節される。
【０１１０】
前記フィルター部２０によって浄化された浄水は、前記第１流路３２を流動した後、前記流入部６３を介して前記加熱流路部６０の加熱流路６６に流入する。前記加熱装置７０が作動すると、前記第２ガイド６２が加熱され、前記加熱流路６６に沿って流動する水は、前記第２ガイド６２によって加熱されて温水に変化する。そして、温水は、前記排出部６４を介して前記第３流路３４に流動する。そして、最終的に温水は、前記取出口３５を介して排出される。
【０１１１】
ユーザは、前記温度選択部を利用して取出される温水の温度を設定することができる。前記加熱装置７０が作動する途中には、前記出水温度センサー９３は温水の温度を感知し、感知された温水の温度が設定された温度と同一となるように、前記コントローラ８０が前記コイル部７３０に供給される電流を調節する。
【０１１２】
従って、本実施例によれば、ユーザが温水の温度を設定し、設定された温度の温水を獲得することができるので、ユーザの嗜好を多様に充足できる長所がある。
【０１１３】
図８は、第２実施例に係る浄水器のブロック図である。
【０１１４】
本実施例は、他の部分においては第１実施例と同一であり、ただし加熱装置に流動する水の流量を調節できることを特徴とする。従って、以下では、本実施例の特徴的な部分に対して説明することにする。
【０１１５】
図８に示すように、コントローラ８０は、加熱装置７０の作動初期に、入水温度センサー９１で感知された水の温度に基づいて、前記加熱流路部６０に流動する水の流量を決定し、決定された流量の水が前記加熱流路部６０に供給されるように第１バルブ４１を制御する。
【０１１６】
一例として、前記入水温度センサー９１で感知された温度が高い場合には、前記コントローラ８０は、加熱流路部６０に流動する水の流量が多くなるように前記第１バルブ４１を制御することができる。反面、前記入水温度センサー９１で感知された温度が低い場合には、前記コントローラ８０は、前記加熱流路部６０に流動する水の流量が少なくなるように第１バルブ４１を制御することができる。
【０１１７】
そして、決定された流量の水が前記加熱流路部６０を流動する過程で加熱される。
【０１１８】
ユーザは、前記温度選択部を利用して取出される温水の温度を設定することができる。
【０１１９】
前記加熱装置７０が作動する途中には、出水温度センサー９３は、温水の温度を感知し、感知された温水の温度が設定された温度と同一となるように、前記コントローラ８０が前記コイル部７３０に供給される電流を調節する。
【０１２０】
一方、本発明で、前記加熱流路部６０を流動する水の流量と前記コイル部７３０に印加される電流を調節することで、前記加熱流路部６０でスチームが生成するようにすることができる。前記加熱流路部６０で生成されたスチームは、前記取出口３５を介して排出され、この過程で前記加熱流路部６０から前記取出口３５までの流路および前記取出口３５の殺菌が可能となる。
【０１２１】
上記２つの実施例では、前記加熱装置の作動初期、入水温度センサーで感知された水の温度、流量センサーで感知された流量に基づいて、コイル部に供給される電流が決定されるが、これとは異なり、入水温度センサーと流量センサーが省略され、前記加熱装置の作動初期、予め設定された大きさの電流が前記コイル部に供給され、出水温度センサーで感知された温水の温度に基づいて、前記コイル部に供給される電流が調節されるようにすることもできる。
【０１２２】
また、上記実施例では、加熱流路部の一側に加熱装置が位置する例に対して説明したが、これとは異なり、前記加熱流路部の両側にそれぞれ加熱装置が備えられてもよい。
【０１２３】
また、上記実施例では、前記瞬間温水装置が浄水器に備えられる例に対して説明したが、これとは異なり、本発明の思想は、水の取出し機能を備える家電製品に適用することができる。例えば、前記瞬間温水装置と前記フィルター部および上述された水の流路と、バルブ、センサー、入力部などの構成要素は、冷蔵庫にも同一に適用することができる。この場合、前記瞬間温水装置は、一例として、冷蔵庫ドアのフレームまたは貯蔵室を備える本体に備えられてもよい。
【０１２４】
図９は第３実施例に係る瞬間温水装置を示す図、図１０は第３実施例に係る加熱流路部の正面図、図１１は図１０のＡ-Ａ線断面図である。
【０１２５】
本実施例は、他の部分においては第１実施例と同一であり、加熱流路部内の流路ガイドにおいて差がある。従って、以下では、本実施例の特徴的な部分に対してのみ説明し、第１実施例と同じ部分は第１実施例の説明を援用する。
【０１２６】
図９〜図１１に示すように、本実施例に係る瞬間温水装置７１は、水が流動できる加熱流路部６０を含むことができる。
【０１２７】
前記加熱流路部６０は、流入部６３と、加熱された水(温水)が排出される排出部６４を有する第１ガイド６１と、前記第１ガイド６１と一緒に前記加熱流路６６を形成する第２ガイド６２を含むことができる。
【０１２８】
前記第１ガイド６１は、前記加熱流路６６における水の流動をガイドするための流路ガイド６１２を含むことができる。
【０１２９】
前記流路ガイド６１２は、前記第１ガイド６１の一部が成形工程によって形成される。一例として、前記流路ガイド６１２は、前記第１ガイド６１の一部が前記第２ガイド６２を向かって突出する。
【０１３０】
前記流路ガイド６１２は、前記流入部６３と前記排出部６４の間で水の流動抵抗の役割をすることができる。
【０１３１】
すなわち、前記流入部６３を介して流入した水の少なくとも一部は、前記流路ガイド６１２によって前記流路ガイド６１２を迂回して流動することができる。
【０１３２】
前記流路ガイド６１２は、前記流入部６３を介して流入した水が前記排出部６４に直接流動することを防止する役割をすることができる。このために、前記流路ガイド６１２の少なくとも一部は、前記流入部６３に対向するように配置される。従って、前記流入部６３を介して前記加熱流路６６に流入した水の少なくとも一部は、前記流路ガイド６１２によって流動方向が変化する。
【０１３３】
一例として、前記流路ガイド６１２の少なくとも一部は、前記流入部６３と前記排出部６４を連結する線上に配置される。
【０１３４】
この時、前記流路ガイド６１２は、前記第１ガイド６１から前記第２ガイド６２を向かって延長され、前記第２ガイド６２と離隔する。すなわち、前記流路ガイド６１２は、前記第２ガイド６２と接触しない。
【０１３５】
本実施例によれば、前記流路ガイド６１２が前記第２ガイド６２と離隔することで、前記コイル部７３０を流れる電流によって前記第２ガイド６２が加熱され、発生した熱が前記流路ガイド６１２に伝達されることで熱損失が防止される。
【０１３６】
すなわち、本実施例によれば、前記第２ガイド６２で発生した熱の一部は、前記第２ガイド６２と接触した第１ガイド６１に伝達され、他の一部は、前記第１ガイド６１と前記第２ガイド６２の間の水に伝達される。
【０１３７】
ところで、前記流路ガイド６１２が前記第２ガイド６２に接触する場合、前記第２ガイド６２の熱の一部が水に伝達されず、前記流路ガイド６１２に直接伝達されて熱損失が発生する可能性があるが、本実施例によれば、流路ガイド６１２が第２ガイド６２と離隔することで、熱損失の発生が防止される。
【０１３８】
この時、前記流路ガイド６１２と前記第２ガイド６２の間の距離Ｄ２は、前記第１ガイド６１と前記第２ガイド６２の間の距離Ｄ１の１／２より小さい。このような構造によれば、前記流路ガイド６１２による熱損失が防止されると共に、流路ガイド６１２が流路抵抗の役割をすることができる。
【０１３９】
前記コイル部７３０は、上述したようにリング状に形成される。この場合、前記コイル部７３０は、コイルが存在しない開口７３２を有することになる。
【０１４０】
そして、前記コイル部７３０と前記加熱流路部６０は対向することができる。すなわち、前記加熱流路部６０、すなわち第１ガイド６１および第２ガイド６２のそれぞれは、前記コイル部７３０と対向する第１部分６１１ａと、前記コイル部７３０と対向しない第２部分６１１ｂを含むことができる。
【０１４１】
この時、前記開口７３２と対向する第２部分６１１ｂの温度が、前記コイル部７３０と対向する第１部分６１１ａの温度より低い。従って、前記流入部６３を介して流入した水が前記コイル部７３０と対向する第１部分６１１ａに沿って流動することが好ましい。
【０１４２】
このために、前記流路ガイド６１２は、前記第１ガイド６１において前記第２部分６１１ｂと前記流入部６３の間に位置する。この時、前記流入部６３と前記流路ガイド６１２および前記第２部分６１１ｂは、一直線上に位置する。
【０１４３】
従って、前記流入部６３を介して流入した水は、上昇する過程で前記流路ガイド６１２によって前記流路ガイド６１２の両側に分かれて流動することになり、これによって、水は前記コイル部７３０と対向する部分である第１部分６１１ａに沿って上昇することができる。
【０１４４】
もちろん、前記第２部分６１１ｂ側にも水が存在し、水の流動が存在するが、前記第１部分６１１ａに沿って流動する水の流動によって影響を受けて上昇することができる。
【０１４５】
提案される実施例によれば、前記流路ガイド６１２によって前記流入部６３に流入した水が、前記排出部６４を向かって直接流動することが防止されることで、加熱流路内で水が全体的に加熱される長所がある。
【０１４６】
また、加熱流路内で水が均一に流動でき、加熱流路内の所定箇所で局部過熱による蒸気の発生が防止される。
【０１４７】
図１２は、第４実施例に係る加熱流路部の正面図である。
【０１４８】
本実施例は、他の部分においては第３実施例と同一であり、加熱流路部内の流路ガイドにおいて差がある。従って、以下では、本実施例の特徴的な部分に対してのみ説明し、第３実施例と同じ部分は第３実施例の説明を援用する。
【０１４９】
図１２に示すように、本実施例の第１ガイド６１は、多数の流路ガイド６１２、６１５を含むことができる。
【０１５０】
前記多数の流路ガイド６１２、６１５は、前記流入部６３と前記排出部６４の間で水の流動方向と平行する方向に離隔配置される。
【０１５１】
前記多数の流路ガイド６１２、６１５は、第１流路ガイド６１２と、前記第１流路ガイド６１２と前記排出部６４の間に配置される第２流路ガイド６１５を含むことができる。
【０１５２】
前記第１流路ガイド６１２の形態および位置は、第３実施例で説明した流路ガイド６１２と同一であるので、詳しい説明は省略する。
【０１５３】
前記第２流路ガイド６１５は、前記排出部６４の周辺で水が前記加熱流路６６内で全体的に流動できるように水の流動をガイドすることができる。
【０１５４】
前記第２流路ガイド６１５の少なくとも一部は、一例として、前記第１流路ガイド６１２と前記排出部６４を連結する線上に位置する。
【０１５５】
また、前記第２流路ガイド６１５の少なくとも一部は、前記排出部６４と前記第２部分６１１ｂの間に配置される。
【０１５６】
また、前記第１流路ガイド６１２および前記第２流路ガイド６１５は、前記コイル部７３０と対向する。
【０１５７】
本実施例によれば、前記第１流路ガイド６１２は、前記流入部６３を介して流入した水が前記コイル部７３０と対向する第１部分６１１ａに沿って流動できるように、水の流動をガイドすることができる。
【０１５８】
前記第２流路ガイド６１５は、前記加熱流路６６内で前記排出部６４を向かって流動する水が、加熱流路６６内で前記排出部６４の周辺に集中することを防止することができる。すなわち、水が前記加熱流路６６内で前記排出部６４を迂回して流動でき、前記排出部６４の両側における局部過熱が減少する長所がある。
【０１５９】
上記実施例では、前記第１ガイド６１が、第１流路ガイド６１２と第２流路ガイド６１５を含む例を説明したが、これとは異なり、第１ガイド６１が第２流路ガイド６１５のみ含んでいてもよい。
【０１６０】
図１３は、第５実施例に係る加熱流路部の正面図である。
【０１６１】
本実施例は、他の部分においては第４実施例と同一でり、加熱流路部内の流路ガイドにおいて差がある。従って、以下では、本実施例の特徴的な部分に対してのみ説明し、第４実施例と同じ部分は第４実施例の説明を援用する。
【０１６２】
図１３に示すように、本実施例の第１ガイド６１は、多数の流路ガイド６１２〜６１７を含むことができる。
【０１６３】
前記多数の流路ガイド６１２〜６１７は、多数の第１流路ガイド６１２、６１３、６１４と、前記多数の第１流路ガイド６１２、６１３、６１４と前記排出部６４の間の領域に配置される前記多数の第２流路ガイド６１５、６１６、６１７を含むことができる。
【０１６４】
前記多数の第１流路ガイド６１２、６１３、６１４は、前記流入部６３と前記排出部６４の間で、水の流動方向と交差する方向に配列される。
【０１６５】
前記多数の第２流路ガイド６１５、６１６、６１７は、前記流入部６３と前記排出部６４の間で、水の流動方向と交差する方向に配列される。
【０１６６】
前記多数の第１流路ガイド６１２、６１３、６１４の少なくとも一部は、前記流入部６３と前記排出部６４を連結する線上に配置される。
【０１６７】
また、前記多数の第２流路ガイド６１５、６１６、６１７の少なくとも一部は、前記流入部６３と前記排出部６４を連結する線上に配置される。
【０１６８】
前記多数の第１流路ガイド６１２、６１３、６１４は、前記流入部６３を介して流入した水が、前記加熱流路６６内で全体的に分配されて流動できるように、水の流動をガイドすることができる。
【０１６９】
前記多数の第１流路ガイド６１２、６１３、６１４は、前記コイル部７３０と対向する第１部分６１１ａに沿って流動できるように、水の流動をガイドすることができる。
【０１７０】
前記多数の第１流路ガイド６１２、６１３、６１４のそれぞれは、前記加熱流路部６０の側面部６７と離隔する。
【０１７１】
前記第１ガイド６１は、前記コイル部７３０と対向しない第２部分６１１ｂのうち前記コイル部７３０が開口７３２と対向しない第３部分６１１ｃを含むことができる。本実施例では、前記流入部６３を介して流入した水の前記第３部分６１１ｃへの流動が最小化されるように、隣接する両第１流路ガイドの間の間隔は、前記加熱流路部６０の側面部６７と隣接する１つの流路ガイド６１３、６１４と加熱流路部６０の側面部６７の間の間隔より大きい。
【０１７２】
前記多数の第２流路ガイド６１５、６１６、６１７は、前記加熱流路６６内で上昇する水が前記排出部６４側に集中することを防止することができる。
【０１７３】
前記多数の第２流路ガイド６１５、６１６、６１７のそれぞれは、前記加熱流路部６０の側面部６７と離隔する。隣接する両第２流路ガイドの間の間隔は、前記加熱流路部６０の側面部６７と隣接する１つの流路ガイド６１６、６１７と加熱流路部６０の側面部６７の間の間隔より大きい。
【０１７４】
図１４は、第６実施例に係る加熱流路部の正面図である。
【０１７５】
本実施例は、他の部分においては第５実施例と同一であり、加熱流路部内の流路ガイドにおいて差がある。従って、以下では、本実施例の特徴的な部分に対してのみ説明し、第５実施例と同じ部分は第５実施例の説明を援用する。
【０１７６】
図１４に示すように、本実施例の加熱流路部６０は、ラウンド状または傾斜状のコーナー部６１ｄ、６１ｅをさらに含むことができる。
【０１７７】
前記コーナー部６１ｄ、６１ｅは、前記流入部６３側から前記排出部６４側に行くほど前記加熱流路６６の面積が増加するように配置される一対の第１コーナー部６１ｄを含むことができる。
【０１７８】
前記コーナー部６１ｄ、６１ｅは、前記流入部６３側から前記排出部６４側に行くほど前記加熱流路６６の面積が減少するように配置される一対の第２コーナー部６１ｅをさらに含むことができる。
【０１７９】
この時、前記加熱流路６６のうち前記第１コーナー部６１ｄと前記第２コーナー部６１ｅの間の加熱流路は、水の流動方向を基準に一定であり、幅が最大である。
【０１８０】
そして、前記流入部６３は前記一対の第１コーナー部６１ｄの間に配置され、前記排出部６４は前記一対の第２コーナー部６１ｅの間に配置される。
【０１８１】
本実施例によれば、前記第１コーナー部６１ｄによって前記流入部６３を介して流入した水が、全体的に分配されて前記排出部６４側に流動することができる。
【０１８２】
また、前記第２コーナー部６１ｅによって、水が前記第２コーナー部６１ｅに停滞することなく、前記第２コーナー部６１ｅに沿って流動して前記排出部６４側に流動するので、前記第２コーナー部６１ｅ側で水が局部的に過熱されることが防止される。
【０１８３】
上記実施例では、前記加熱流路部６０がラウンド状または傾斜状の第１コーナー部および第２コーナー部を含む例を説明したが、これとは異なり、前記加熱流路部６０がラウンド状または傾斜状の第２コーナー部のみを含むようにしてもよい。この場合、前記第２コーナー部は、前記流入部６３から離れるほど加熱流路の面積が減少するように配置され、一対の第２コーナー部の間に排出部が配置される。
【図１】
0006513789.tif 000002
【図２】
0006513789.tif 000003
【図３】
0006513789.tif 000004
【図４】
0006513789.tif 000005
【図５】
0006513789.tif 000006
【図６】
0006513789.tif 000007
【図７】
0006513789.tif 000008
【図８】
0006513789.tif 000009
【図９】
0006513789.tif 000010
【図１０】
0006513789.tif 000011
【図１１】
0006513789.tif 000012
【図１２】
0006513789.tif 000013
【図１３】
0006513789.tif 000014
【図１４】
0006513789.tif 000015